(57)【要約】  放音部の調整部材をヘッドバンド内部に出し入れする際の、ヘッドバンド内部での信号ケーブルの縺れが抑制されるヘッドホン装置を提供する。  ヘッドホン装置（１，２）において、ヘッドバンド（１３，２１）の内部にその一部が挿入され、挿入長を調整可能な調整部材（１４，２２）と、信号ケーブル（１５）をヘッドバンド（１３，２１）に固定する固定部（１３ａ）と、調整部材（１４，２２）に設けられ、ヘッドバンド（１３，２１）内部における信号ケーブル（１５）を保持する保持部（１７）と、が備えられ。そして、調整部材（１４，２２）が引き出された状態で、保持部（１７）は固定部（１３ａ）よりもヘッドバンド（１３，２１）の頂部から遠くに位置し、調整部材（１４，２２）が挿入された状態で、保持部（１７）は固定部（１３ａ）よりもヘッドバンド（１３，２１）の頂部の近くに位置することを特徴とする。
2015087431.tif 000002
【特許請求の範囲】
【請求項１】
ヘッドバンドと、
前記ヘッドバンドの内部にその一部が挿入され、挿入長を調整可能な調整部材と、
前記ヘッドバンドの内部から該ヘッドバンドの外部へと前記調整部材を介して引き出される信号ケーブルと、
前記ヘッドバンド内部に設けられ、前記信号ケーブルを前記ヘッドバンドに固定する固定部と、
前記調整部材に設けられ、前記ヘッドバンド内部における前記信号ケーブルを保持する保持部と、
が備えられることを特徴とするヘッドホン装置。
【請求項２】
前記調整部材に接続され、前記ヘッドバンドの頂部に向かって延びている保持部材を更に備え、
前記保持部が、前記保持部材に備えられることを特徴とする請求項１に記載のヘッドホン装置。
【請求項３】
前記保持部材は、前記ヘッドバンドと略同じ曲率で湾曲している板形状であることを特徴とする請求項２に記載のヘッドホン装置。
【請求項４】
前記保持部材の先端近傍に前記保持部を有することを特徴とする請求項２に記載のヘッドホン装置。
【請求項５】
前記ヘッドバンド内部には、前記調整部材と接触する凹部又は凸部が形成されている領域を有することを特徴と請求項１に記載のヘッドホン装置。
【請求項６】
前記調整部材に接続され、前記ヘッドバンドの頂部に向かって延びている保持部材を更に備え、
前記保持部が、前記保持部材に備えられており、
前記保持部材は、その短手の長さが前記領域の短手の長さより大きいことを特徴と請求項５に記載のヘッドホン装置。
【請求項７】
前記調整部材に接続され、前記ヘッドバンドの頂部に向かって延びている保持部材を更に備え、
前記保持部が、前記保持部材に備えられており、
前記保持部材は、その長手の長さが前記領域の長手の長さより大きいことを特徴と請求項５又は６に記載のヘッドホン装置。
【請求項８】
前記固定部が前記調整部材よりも前記ヘッドバンドの頂部の近くに位置することを特徴とする請求項1に記載のヘッドホン装置。
【請求項９】
前記調整部材が前記ヘッドバンド内部から引き出された状態で、前記保持部は前記固定部よりも前記ヘッドバンドの頂部から遠くに位置し、
前記調整部材が前記ヘッドバンド内部に挿入された状態で、前記保持部は前記固定部よりも前記ヘッドバンドの頂部の近くに位置するようになっていることを特徴とする請求項８に記載のヘッドホン装置。
【発明の詳細な説明】
【技術分野】
【０００１】
本発明は、ヘッドホン装置に関する。
【背景技術】
【０００２】
従来、左右一対の放音部を湾曲形状のヘッドバンドで連結したヘッドホン装置が知られている（例えば、特許文献１参照）。このような構造のヘッドホン装置の中には、一方の放音部に音声信号が外部ケーブルによって入力され、他方の放音部には、ヘッドバンド内部を通された信号ケーブルを介して、上記の一方の放音部から音声信号が供給されるタイプのものがある。また、このようなヘッドホン装置として、ユーザの耳に放音部の位置を合わせるために、放音部が、次のような調整部材を介してヘッドバンドに取り付けられている構造のものが知られている。【０００３】
図６は、従来のヘッドホン装置における、ヘッドバンドへの放音部の取付構造の一例を示す図である。この図６には、ヘッドホン装置５が備えている２つの放音部５１のうちの１つの近傍におけるヘッドバンド５２の内部構造が示されている。図６の例では、ヘッドホン装置５が次のような調整部材５３を備えている。調整部材５３は、帯状の板部材であり、ヘッドバンド５２の内部にその一部が挿入され、矢印Ｄ５方向に出し入れ自在となっている。放音部５１は、この調整部材５３の一端に取り付けられ、調整部材５３は、その他端からヘッドバンド５２の内部に挿入されている。この調整部材５３の出し入れにより、放音部５１の位置が調整されることとなる。図６には、調整部材５３がヘッドバンド５２の内部に最も奥まで挿入された状態が示されている。【０００４】
図７は、図６に示されているヘッドホン装置において、調整部材がヘッドバンドの内部から引き出された状態を示す図である。このヘッドホン装置５では、調整部材５３は、ヘッドバンド５２の内部の摺擦面５２ａを摺擦しながら出し入れされる。この摺擦面５２ａには、矢印Ｄ５が示す出し入れ方向と直交する複数の溝５２ｂが、この出し入れ方向に沿って配列されている。そして、調整部材５３には、この溝５２ｂに嵌る凸部５３ａが設けられており、調整部材５３の出し入れに、いわゆるクリック感が持たされている。【０００５】
ここで、ヘッドバンド５２の内部には、放音部５１に音声信号を供給する信号ケーブル５４が通っており、この信号ケーブル５４をヘッドバンド５２に固定する固定部５２ｃがヘッドバンド５２の内部に設けられている。また、調整部材５３には信号ケーブル５４が保持されている。信号ケーブル５４は、調整部材５３が引き出されるとこの調整部材５３と一緒に引き出される。このため、信号ケーブル５４は、この引出しに応じるためにその長さに余裕を持たされている。調整部材５３がヘッドバンド５２の内部に挿入された状態では、信号ケーブル５４は、図６に示されるように固定部５２ｃの近傍で折り畳まれた状態にある。そして、調整部材５３がヘッドバンド５２から引き出されると、信号ケーブル５４は、図７に示されるように延びた状態となる。
【先行技術文献】
【特許文献】
【０００６】
【特許文献１】実用新案登録第２５０９２１２号公報
【発明の概要】
【発明が解決しようとする課題】
【０００７】
ヘッドホン装置５において、一旦引き出された調整部材５３がヘッドバンド５２の内部に再度挿入されるときには、信号ケーブル５４の状態は、図６に示されているように折り畳まれた状態となることが望ましい。しかしながら、このヘッドホン装置５では、信号ケーブル５４において、固定部５２ｃから調整部材５３までの間で自由に動き回ることができる部分の長さが、上記の余裕を見込んで長くなっている。そして、調整部材５３の出し入れ時におけるこの自由な部分の形状は、調整部材５３による被保持部分が調整部材５３で押し引きされるときの信号ケーブル５４の自由な移動と変形に任されている。このため、調整部材５３の挿入の際に、信号ケーブル５４が次のような状態となることがある。【０００８】
図８は、一旦引き出された調整部材がヘッドバンドの内部に再度挿入されるときに、信号ケーブルに起こり得る状態を示す図である。この図８に示されているように、調整部材５３がヘッドバンド５２の内部に挿入される際に、信号ケーブル５４が固定部５２ｃ側へと入っていかず、調整部材５３の挿入方向先端の近傍で縺れてしまうことがある。このような縺れの原因としては、例えば調整部材５３出し入れ時のクリック感のための溝５２ｂに信号ケーブル５４が引っ掛かること等が挙げられる。ヘッドバンドの中には、このような溝が設けられていないものもあるが、そのようなヘッドバンドにあっても、例えばヘッドバンドの内面と信号ケーブルとの摩擦等に起因して上記のような縺れが生じることがある。【０００９】
そして、図８に示されているような縺れが生じた状態で調整部材５３がヘッドバンド５２の内部にさらに挿入されると、信号ケーブル５４が、調整部材５３と摺擦面５２ａとの間に挟まってしまい、場合によっては信号ケーブル５４が断線することがある。このような事態に至ると、それ以降の調整部材５３の出し入れのスムーズさが損なわれ、場合によっては信号ケーブル５４が断線する恐れがある。このように、放音部５１の調整部材５３とともに信号ケーブル５４が出し入れされるタイプのヘッドホン装置５では、信号ケーブル５４の縺れによって調整部材５３の出し入れのスムーズさが損なわれ、場合によっては信号ケーブル５４が断線する恐れがあるという問題が一例として挙げられる。【００１０】
そこで、本発明は、放音部の調整部材をヘッドバンド内部に出し入れする際の、ヘッドバンド内部での信号ケーブルの縺れが抑制されるヘッドホン装置を提供することを課題とする。
【課題を解決するための手段】
【００１１】
上記課題を解決するために、請求項１に記載された発明は、ヘッドバンドと、前記ヘッドバンドの内部にその一部が挿入され、挿入長を調整可能な調整部材と、前記ヘッドバンドの内部から該ヘッドバンドの外部へと前記調整部材を介して引き出される信号ケーブルと、前記ヘッドバンド内部に設けられ、前記信号ケーブルを前記ヘッドバンドに固定する固定部と、前記調整部材に設けられ、前記ヘッドバンド内部における前記信号ケーブルを保持する保持部と、が備えられることを特徴とするヘッドホン装置。尚、ここでいうヘッドホン装置には、ヘッドバンドを備え、放音部の位置が上記のように調整されるものであれば、いわゆるヘッドホンに限らず、イヤホンや補聴器等も含まれる。
【図面の簡単な説明】
【００１２】
【図１】第１実施例にかかるヘッドホン装置を示す斜視図である。
【図２】図１における左側の放音部のヘッドバンドへの取付構造を示す図である。
【図３】図２に示されているヘッドホン装置において、調整部材がヘッドバンドの内部から引き出された状態を示す図である。
【図４】保持部材の形状を、その長手方向に沿った断面図と、上方から見た平面図とで示す図である。
【図５】第２実施例にかかるヘッドホン装置において、調整部材の出し入れにクリック感を持たせるための構造を示す図である。
【図６】従来のヘッドホン装置における、ヘッドバンドへの放音部の取付構造の一例を示す図である。
【図７】図６に示されているヘッドホン装置において、調整部材がヘッドバンドの内部から引き出された状態を示す図である。
【図８】一旦引き出された調整部材がヘッドバンドの内部に再度挿入されるときに、信号ケーブルに起こり得る状態を示す図である。
【発明を実施するための形態】
【００１３】
以下、本発明の一実施形態にかかるヘッドホン装置を説明する。本発明の一実施形態にかかるヘッドホン装置は、ヘッドバンドと、このヘッドバンドの内部にその一部が挿入され、挿入長を調整可能な調整部材と、を備えている。さらに、このヘッドホン装置は、次のような固定部と保持部とを備えている。固定部は、ヘッドバンド内部に設けられ、信号ケーブルをヘッドバンドに固定するものである。また、保持部は、調整部材に設けられ、ヘッドバンド内部における信号ケーブルを保持するものである。固定部は調整部材よりもヘッドバンドの頂部の近くに位置する。そして、調整部材が引き出された状態で、保持部は固定部よりもヘッドバンドの頂部から遠くに位置し、調整部材が挿入された状態で、保持部は固定部よりもヘッドバンドの頂部の近くに位置するようになっている。すなわちこのヘッドホン装置は、保持部が固定部よりもヘッドバンドの頂部から遠くに位置するように調整部材をヘッドバンド内部から引出し、保持部が固定部よりもヘッドバンドの頂部の近くに位置するように調整部材をヘッドバンド内部に挿入するように構成されている。このヘッドホン装置では、信号ケーブルの保持部が、常に固定部よりもヘッドバンドの頂部から遠い位置にある図６から図８に示されている保持構造に比べて、固定部から保持部に至る部分の長さが短くなる。また、調整部材の出し入れ時には、信号ケーブルにおける保持部による被保持部分は、固定部よりもヘッドバンドの頂部から遠い位置と固定部よりもヘッドバンドの頂部に近い位置との間で、保持部によって運ばれる。このため、信号ケーブルにおける、固定部から保持部に至る部分の形状は、その部分の上記のような短さとも相まって、保持部と固定部との相対的な位置関係によって略規定される。従って、このヘッドホン装置によれば、上述した従来のヘッドホン装置のように、調整部材の出し入れ時の信号ケーブルの形状が信号ケーブルの自由な移動と変形に任されている場合と比べて、その出し入れ時の信号ケーブルの縺れが抑制されることとなる。
【００１４】
また、本発明の一実施形態にかかるヘッドホン装置において、調整部材に接続され、ヘッドバンドの頂部に向かって延びている保持部材を更に備え、上記の保持部が、保持部材に備えられることは好適である。この好適な形態によれば、調整部材から保持部に至るまでの区間に亘って信号ケーブルが保持部材の表面上に保持された状態で、調整部材が出し入れされる。その結果、この区間については、信号ケーブルの縺れの抑制について確実を期することができる。
【００１５】
また、上記の保持部材を更に備えた好適な形態において、この保持部材が、ヘッドバンドと略同じ曲率で湾曲している板形状であることは更に好適である。この更に好適な形態によれば、調整部材が出し入れされる際に、保持部材がヘッドバンドの曲率に沿って滑らかに移動でき、調整部材の出し入れを一層スムーズなものとすることができる。
【００１６】
また、上記の保持部材を更に備えた好適な形態において、保持部材の先端近傍に保持部を有することも更に好適である。この更に好適な形態によれば、保持部材上に信号ケーブルを保持できる区間を、この保持部材の略全長とすることができ、縺れの抑制について確実を期することができる区間を長くすることができる。
【００１７】
また、本発明の一実施形態にかかるヘッドホン装置において、ヘッドバンド内部には、前記調整部材と接触する凹部又は凸部が形成されている領域を有することは好適である。この好適な形態によれば、調整部材の出し入れに、いわゆるクリック感を持たすことができる。
【００１８】
また、ヘッドバンド内部に上記の凹部又は凸部が形成されている好適な形態において、上記の保持部が上記の保持部材に備えられており、保持部材が、次のような構成を有していることは更に好適である。この好適な保持部材は、その短手の長さがこの領域の短手の長さより大きい。この更に好適な形態によれば、凹部又は凸部が形成されている箇所の幅方向について、信号ケーブルと凹部又は凸部との接触が抑えられ、一層縺れが抑制されることとなる。
【００１９】
また、ヘッドバンド内部に上記の凹部又は凸部が形成されている好適な形態において、上記の保持部が上記の保持部材に備えられており、保持部材が、次のような構成を有していることも更に好適である。この好適な保持部材は、その長手の長さがこの領域の長手の長さより大きいこの更に好適な形態によれば、凹部又は凸部が形成されている箇所の長さ方向について、信号ケーブルと凹部又は凸部との接触が抑えられ、一層縺れが抑制されることとなる。
【実施例】
【００２０】
本発明の第１実施例にかかるヘッドホン装置１を図１〜図４を参照して説明する。【００２１】
図１は、第１実施例にかかるヘッドホン装置を示す斜視図である。この図１に示すように、ヘッドホン装置１は、各々が耳当て状となった左右一対の放音部１１，１２を湾曲形状のヘッドバンド１３で連結したいわゆるヘッドホンである。そして、一対の放音部１１，１２のうち、図１における右側の放音部１２に、外部ケーブル１４が接続されている。右側の放音部１２には、この外部ケーブル１４を介して音声信号が入力される。一対の放音部１１，１２は、ヘッドバンド１３の内部を通された後述の信号ケーブルによって電気的に接続されている。そして、右側の放音部１２から、この信号ケーブルを介して、左側の放音部１１に音声信号が供給される。また、このヘッドホン装置１では、ユーザの耳に各放音部１１，１２の位置を合わせるために、各放音部１１，１２が、次のような調整部材を介してヘッドバンド１３に取り付けられている。各放音部１１，１２の取付構造は同等であるので、以下、この取付構造について、図１における左側の放音部１１の取付構造を例に挙げて説明を行う。【００２２】
図２は、図１における左側の放音部のヘッドバンドへの取付構造を示す図である。この図２に示されているように、ヘッドホン装置１が次のような調整部材１４を備えている。調整部材１４は、帯状の板部材であり、その長手方向に、湾曲形状のヘッドバンド１３と略同じ曲率で湾曲している。調整部材１４は、ヘッドバンド１３の内部にその一部が挿入され、矢印Ｄ１方向に出し入れ自在となっている。放音部１１は、この調整部材１４の一端に取り付けられ、調整部材１４は、その他端からヘッドバンド１３の内部に挿入されている。この調整部材１４の出し入れにより、放音部１１の位置が調整されることとなる。図２には、調整部材１４がヘッドバンド１３の内部に最も奥まで挿入された状態が示されている。【００２３】
ヘッドバンド１３の内部には、信号ケーブル１５が通っており、この信号ケーブル１５をヘッドバンド１３に固定する固定部１３ａがヘッドバンド１３の内部に設けられている。固定部は調整部材よりもヘッドバンドの頂部の近くに位置する。尚、図２に示されている左側の放音部１１の取付構造にあっては、信号ケーブル１５は、右側の放音部１２から来て、末端の放音部１１に音声信号を送るケーブルとなっている。一方、右側の放音部１２の不図示の取付構造にあっては、信号ケーブル１５は、左側の放音部１１に音声信号を供給するケーブルとなっている。固定部１３ａは、ヘッドバンド１３の内面から突出した２つの突起からなり、それらの突起間に信号ケーブル１５を挟んで係止する。【００２４】
そして、調整部材１４における、ヘッドバンド１３への挿入方向先端には、信号ケーブル１５を保持する保持部材１６が固定されている。保持部材１６は、調整部材１４よりも幅が狭く厚みが薄い帯状の板部材であり、調整部材１４の挿入方向先端から湾曲形状のヘッドバンド１３の頂部に向かって延びている。また、保持部材１６は、ヘッドバンド１３と略同じ曲率で湾曲している。そして、その先端近傍の表面上に、信号ケーブル１５を保持する保持部１７が形成されている。保持部１７は、保持部材１６の表面から突出した２つの係止爪からなり、両者間に信号ケーブル１５を挟んで保持する。【００２５】
保持部材１６は、調整部材１４が矢印Ｄ１方向に出し入れされると、固定部１３ａの横を通って、この調整部材１４と一緒に矢印Ｄ１方向に移動する。図２に示されているように調整部材１４が挿入されると、保持部材１６において保持部１７が形成されている先端部が、固定部１３ａの横を通って、固定部１３ａよりもヘッドバンド１３の頂部に近い位置に達する。つまり、調整部材１４が挿入された状態では、保持部１７は、固定部１３ａよりもヘッドバンド１３の頂部に近い位置に達する。これにより、信号ケーブル１５における保持部１７による被保持部分がこの位置まで運ばれ、信号ケーブル１５は、この被保持部分の先で固定部１３ａに向かって折り畳まれることとなる。【００２６】
また、調整部材１４がヘッドバンド１３から引き出されると、保持部材１６における上記の先端部が、固定部１３ａの横を通って、次のような位置まで移動する。【００２７】
図３は、図２に示されているヘッドホン装置において、調整部材がヘッドバンドの内部から引き出された状態を示す図である。この図３に示されているように、保持部１７が形成されている先端部が、固定部１３ａの横を通って、固定部１３ａよりもヘッドバンド１３の頂部から遠い位置に達する。つまり、調整部材１４が引き出された状態では、保持部１７は、固定部１３ａよりもヘッドバンド１３の頂部から遠い位置に達する。これにより、信号ケーブル１５における保持部１７による被保持部分がこの位置まで運ばれ、信号ケーブル１５は、固定部１３ａから延ばされる。【００２８】
保持部材１６の長さは、調整部材１４の挿入時の保持部１７の位置が図２示されている位置になり、引出し時の保持部１７の位置が図３示されている位置になる長さとなっている。【００２９】
本実施例のヘッドホン装置１では、信号ケーブルの保持部が、常に固定部よりもヘッドバンドの頂部から遠い位置にある図６から図８に示されている保持構造に比べて、固定部１３ａから保持部１７に至る部分の長さが短くなる。また、調整部材１４の出し入れ時には、信号ケーブル１５の保持部１７による被保持部分は、固定部１３ａよりもヘッドバンド１３の頂部から遠い位置と固定部１３ａよりもヘッドバンド１３の頂部に近い位置との間で、保持部１７によって運ばれる。このため、信号ケーブル１５における、固定部１３ａから保持部１７に至る部分の形状は、その部分の上記のような短さとも相まって、保持部１７と固定部１３ａとの相対的な位置関係によって略規定される。従って、このヘッドホン装置１によれば、上述した従来のヘッドホン装置５のように、調整部材の出し入れ時の信号ケーブルの形状が信号ケーブルの自由な移動と変形に任されている場合と比べて、その出し入れ時の信号ケーブル１５の縺れが抑制されることとなる。【００３０】
また、本実施例のヘッドホン装置１では、保持部１７が、上記のように長く延びた保持部材１６に備えられている。これにより、調整部材１４の一端から保持部１７に至るまでの区間に亘って信号ケーブル１５が保持部材１６の表面上に保持された状態で、調整部材１４が出し入れされる。その結果、この区間については、信号ケーブル１５の縺れの抑制について確実を期することができる。【００３１】
また、本実施例のヘッドホン装置１では、保持部材１６が、次のような板形状となっている。【００３２】
図４は、保持部材の形状を、その長手方向に沿った断面図と、上方から見た平面図とで示す図である。図４（ａ）に保持部材１６の断面図が示され、図４（ｂ）に保持部材１６の平面図が示されている。【００３３】
図４（ａ）に示されているように、保持部材１６は湾曲形状を有しており、その曲率半径Ｒは、湾曲状態のヘッドバンド１３の曲率半径ｒと略同じとなっている。これにより、調整部材１４が出し入れされる際に、保持部材１６がヘッドバンド１３の曲率に沿って滑らかに移動でき、調整部材１４の出し入れを一層スムーズなものとすることができる。【００３４】
また、本実施例のヘッドホン装置１では、保持部材１６の先端近傍に保持部１７が設けられている。これにより、図４（ａ）に示されているように、保持部材１６の表面上に信号ケーブル１５を保持できる区間を、この保持部材１６の略全長とすることができ、縺れの抑制について確実を期することができる区間を長くすることができる。【００３５】
また、本実施例のヘッドホン装置１では、調整部材１４は、ヘッドバンド１３の内部の摺擦面１３ｂ（図３も参照）を摺擦しながら出し入れされる。この摺擦面１３ｂには、図４（ａ）と図４（ｂ）との双方に示されているように、矢印Ｄ１が示す出し入れ方向と直交する複数の溝１３ｃ（凹部）が出し入れ方向に沿って配列されている。そして、調整部材１４には、溝１３ｃに嵌る凸部１４ａが設けられており、調整部材１４の出し入れに、いわゆるクリック感が持たされている。【００３６】
そして、本実施例のヘッドホン装置１では、図４（ｂ）に示されているように、保持部材１６の幅Ｗは、上記の溝１３ｃが形成されている箇所の幅ｗよりも広い。さらに、この保持部材１６は、その長手方向と直交する幅方向について溝１３ｃを覆うように溝１３ｃと重なって延びている。すなわち、この保持部材１６は、その長手方向と直交する幅が、ヘッドバンド１３において凹部１３ｃが形成されている領域の幅よりも広く、且つ、少なくともその長手方向と直交する幅方向について凹部１３ｃを覆うように凹部１３ｃと重なって延びている。これにより、溝１３ｃが形成されている箇所の幅方向について、信号ケーブル１５と溝１３ｃとの接触が抑えられ、一層縺れが抑制されることとなる。【００３７】
また、本実施例のヘッドホン装置１では、図４（ａ）に示されているように、保持部材１６の長さＬは、溝１３ｃが形成されている箇所の長さｌよりも長い。すなわちこの保持部材１６は、その長さが、ヘッドバンド１３において凹部１３ｃが形成されている箇所の長さよりも長く、且つ、少なくともその長手方向について凹部１３ｃを覆うように凹部１３ｃと重なって延びている。これにより、溝１３ｃが形成されている箇所の長さ方向について、信号ケーブル１５と溝１３ｃとの接触が抑えられ、一層縺れが抑制されることとなる。【００３８】
また、本実施例のヘッドホン装置１では、図４（ａ）に示されているように、保持部材１６の厚みＴは、調整部材１４の厚みｔよりも薄い。これにより、保持部材１６と摺擦面１３ｂとの密着性が高まっている。その結果、調整部材１４の出し入れに際し、保持部材１６と摺擦面１３ｂとの間への信号ケーブル１５の入り込み等が抑えられ、一層縺れが抑制されることとなる。【００３９】
次に、本発明の第２実施例にかかるヘッドホン装置について説明する。第２実施例にかかるヘッドホン装置は、調整部材の出し入れにクリック感を持たせるための構造を除いて、上述の第１実施例にかかるヘッドホン装置１と同等である。そこで、以下では、第２実施例にかかるヘッドホン装置について、図５を参照し、第１実施例にかかるヘッドホン装置１との相違点に注目して説明を行う。【００４０】
図５は、第２実施例にかかるヘッドホン装置において、調整部材の出し入れにクリック感を持たせるための構造を示す図である。尚、この図５では、図１から図４に示されている第１実施例にかかるヘッドホン装置１の構成要素と同等な構成要素については、図１から図４における符号と同じ符号が付されている。以下では、これら同等な構成要素については重複説明を省略する。【００４１】
図５に示されているように、第２実施例にかかるヘッドホン装置２では、ヘッドバンド２１において、摺擦面１３ｂ上を移動する調整部材２２の両側縁に沿って、鋸歯状の凹凸２１ａが形成されている。そして、調整部材２２における、ヘッドバンド２１への挿入方向先端部の２つの角に、上記の凹凸２１ａにおける凹部２１ｂに嵌る凸部２２ａが形成されている。そして、両者が噛み合いながら調整部材２２が出し入れされることにより、その出し入れにクリック感が生じることとなっている。【００４２】
尚、前述した２つの実施例は本発明の代表的な形態を示したに過ぎず、本発明は、これらの実施例に限定されるものではない。即ち、当業者は、従来公知の知見に従い、本発明の骨子を逸脱しない範囲で種々変形して実施することができる。かかる変形によってもなお本発明のヘッドホン装置の構成を具備する限り、勿論、本発明の範疇に含まれるものである。【００４３】
例えば、前述した２つの実施例では、本発明にいうヘッドホン装置の一例として、各々が耳当て状となった左右一対の放音部１１，１２を湾曲形状のヘッドバンド１３で連結してなる、いわゆるヘッドホンとしてのヘッドホン装置１，２が例示されている。しかしながら、本発明にいうヘッドホン装置は、ヘッドバンドを備え、放音部の位置が前述のように調整されるものであれば、いわゆるヘッドホンに限らず、イヤホンや補聴器等であってもよい。【００４４】
また、例えば、前述した２つの実施例では、本発明にいうヘッドホン装置の一例として、一方の放音部１２に外部ケーブル１４が接続され、この外部ケーブル１４を介して音声信号が入力されるヘッドホン装置１，２が例示されている。しかしながら、本発明にいうヘッドホン装置は、このような外部ケーブルは接続されず、音声信号が無線で入力されるワイヤレスタイプのものであってもよい。【００４５】
また、例えば、前述した２つの実施例では、本発明にいう保持部材の一例として、調整部材とは別体に作られ、この調整部材の先端に固定された保持部材１６が例示されている。しかしながら、本発明にいう保持部材はこれに限るものではなく、調整部材と一体に形成されたもの等であってもよい。【００４６】
また、例えば、前述した２つの実施例では、本発明にいうヘッドホン装置の一例として、ヘッドバンド１３，２１の内部を信号ケーブル１５が１本だけ通った形態のヘッドホン装置１，２が例示されている。しかしながら、本発明にいうヘッドホン装置は、ヘッドバンドの内部を信号ケーブルが複数本通ったものであってもよい。この場合、固定部に複数本の信号ケーブルを固定させ、保持部に複数本の信号ケーブルを保持させてもよく、あるいは、１本の信号ケーブルを固定する固定部や、１本の信号ケーブルを保持する保持部を複数設けてもよい。【００４７】
また、例えば、前述した２つの実施例では、本発明にいう固定部の一例として、２つの突起からなり、両者間に信号ケーブル１５を挟んで係止する固定部１３ａが例示されている。また、本発明にいう保持部の一例として、２つの係止爪からなり、両者間に信号ケーブル１５を挟んで保持する保持部１７が例示されている。しかしながら、本発明にいう固定部や保持部はこれらの形態に限るものではなく、信号ケーブルを固定し保持できるものであればその具体的な形態を問うものではない。【００４８】
また、例えば、前述した２つの実施例では、本発明にいう保持部材の一例として帯状の保持部材１６が例示され、本発明にいう保持部の一例としてその帯状の保持部材１６の表面に形成された保持部１７が例示されている。しかしながら、本発明にいう保持部材や保持部はこれらの形態に限るものではない。本発明にいう保持部材は、例えば棒状であってもよい。また、本発明にいう保持部は、長く延びた保持部材の先端から横方向に突出し、その突出した先で信号ケーブルを保持するもの等であってもよい。【００４９】
また、例えば、前述した２つの実施例では、本発明にいうヘッドホン装置の一例として、ヘッドバンド１３，２１の溝１３ｃや凹凸２１ａと調整部材１４，２２の凸部１４ａ，２２ａとでクリック感を生じさせる形態が例示されている。しかしながら、本発明にいうヘッドホン装置はこの形態に限るものではなく、例えば、ヘッドバンドに凸部を設け調整部材に溝や凹凸を設けることでクリック感を生じさせる形態であってもよい。
【符号の説明】
【００５０】
１，２    ヘッドホン装置
１１，１２    放音部
１３，２１    ヘッドバンド
１３ａ    固定部
１３ｂ    摺擦面
１３ｃ    溝
１４，２２    調整部材
１４ａ    凸部
１５      信号ケーブル
１６      保持部材
１７      保持部
【図１】
2015087431.tif 000003
【図２】
2015087431.tif 000004
【図３】
2015087431.tif 000005
【図４】
2015087431.tif 000006
【図５】
2015087431.tif 000007
【図６】
2015087431.tif 000008
【図７】
2015087431.tif 000009
【図８】
2015087431.tif 000010
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
ヘッドバンドと、
前記ヘッドバンドの内部にその一部が挿入され、挿入長を調整可能な調整部材と、
前記ヘッドバンドの内部から該ヘッドバンドの外部へと前記調整部材を介して引き出される信号ケーブルと、
前記ヘッドバンド内部に設けられ、前記信号ケーブルを前記ヘッドバンドに固定する固定部と、
前記調整部材に接続され、前記ヘッドバンドの頂部に向かって延びている保持部材と、
前記保持部材に設けられ、前記ヘッドバンド内部における前記信号ケーブルを保持する保持部と、
前記ヘッドバンド内部に、前記調整部材と接触する凹部又は凸部が形成されている領域と、
を有し、
前記保持部材の、前記ヘッドバンドの長手方向に直交する方向の長さが、前記領域の、前記ヘッドバンドの長手方向に直交する方向の長さより、長いことを特徴とするヘッドホン装置。
【請求項２】
ヘッドバンドと、
前記ヘッドバンドの内部にその一部が挿入され、挿入長を調整可能な調整部材と、
前記ヘッドバンドの内部から該ヘッドバンドの外部へと前記調整部材を介して引き出される信号ケーブルと、
前記ヘッドバンド内部に設けられ、前記信号ケーブルを前記ヘッドバンドに固定する固定部と、
前記調整部材に接続され、前記ヘッドバンドの頂部に向かって延びている保持部材と、
前記保持部材に設けられ、前記ヘッドバンド内部における前記信号ケーブルを保持する保持部と、
前記ヘッドバンド内部に、前記調整部材と接触する凹部又は凸部が形成されている領域と、
を有し、
前記保持部材の、前記ヘッドバンドの長手方向の長さが、前記領域の、前記ヘッドバンドの長手方向の長さより、長いことを特徴とするヘッドホン装置。
【請求項３】
前記固定部が前記調整部材よりも前記ヘッドバンドの頂部の近くに位置することを特徴とする請求項1または２に記載のヘッドホン装置。
【請求項４】
前記調整部材が前記ヘッドバンド内部から引き出された状態で、前記保持部は前記固定部よりも前記ヘッドバンドの頂部から遠くに位置し、
前記調整部材が前記ヘッドバンド内部に挿入された状態で、前記保持部は前記固定部よりも前記ヘッドバンドの頂部の近くに位置するようになっていることを特徴とする請求項３に記載のヘッドホン装置。
【手続補正２】
【補正対象書類名】明細書
【補正対象項目名】００１１
【補正方法】変更
【補正の内容】
【００１１】
上記課題を解決するために、請求項１に記載された発明は、ヘッドバンドと、前記ヘッドバンドの内部にその一部が挿入され、挿入長を調整可能な調整部材と、前記ヘッドバンドの内部から該ヘッドバンドの外部へと前記調整部材を介して引き出される信号ケーブルと、前記ヘッドバンド内部に設けられ、前記信号ケーブルを前記ヘッドバンドに固定する固定部と、前記調整部材に接続され、前記ヘッドバンドの頂部に向かって延びている保持部材と、前記保持部材に設けられ、前記ヘッドバンド内部における前記信号ケーブルを保持する保持部と、前記ヘッドバンド内部に、前記調整部材と接触する凹部又は凸部が形成されている領域と、を有し、前記保持部材の、前記ヘッドバンドの長手方向に直交する方向の長さが、前記領域の、前記ヘッドバンドの長手方向に直交する方向の長さより、長いことを特徴とするヘッドホン装置。尚、ここでいうヘッドホン装置には、ヘッドバンドを備え、放音部の位置が上記の様に調整されるものであれば、いわゆるヘッドホンに限らず、イヤホンや補聴器等も含まれる。
【国際調査報告】
2015087431.tif 000011
2015087431.tif 000012